【手続補正書】
【提出日】平成23年9月30日(2011.9.30)
【手続補正１】
【補正対象書類名】特許請求の範囲
【補正対象項目名】全文
【補正方法】変更
【補正の内容】
【特許請求の範囲】
【請求項１】
プレイリスト情報を構成する主たる再生区間情報と従たる再生区間情報に従って、プライマリビデオストリーム及びセカンダリビデオストリームを用いたピクチャインピクチャ再生を行うと共に、セカンダリビデオストリームに対して、字幕ストリームの再生映像を合成する再生装置であって、
前記主たる再生区間情報は、プライマリビデオストリームの再生区間の開始点及び終了点を規定する時間情報と、ストリームエントリーテーブルとを含み、
前記従たる再生区間情報は、セカンダリビデオストリームの再生区間の開始点及び終了点を規定する時間情報を含み、
前記ストリームエントリーテーブルには、再生が許可されているセカンダリビデオストリームのエントリーと、再生が許可されている字幕ストリームのエントリーと、第１個数と、第２個数と、組合せ情報とが記述されており、
第１個数は、再生が許可されている字幕ストリームエントリーの個数を示し、
第１個数と第２個数の合計は、ピクチャインピクチャの実行時において、再生が許可される字幕ストリームエントリーの個数を示し、
前記組合せ情報は、
セカンダリビデオストリームとの再生の組合せが許可されている字幕ストリームを示し、
前記再生装置は、
カレントのセカンダリビデオストリームの番号を格納する第１ストリーム番号レジスタと、
カレントの字幕ストリームの番号を格納する第２ストリーム番号レジスタと、を備え、
カレントのセカンダリビデオストリーム番号が変化した際、前記第２ストリーム番号レジスタに格納されているカレントの字幕ストリームの番号が前記第１個数と、前記第２個数とを足しあわせた数値範囲に属し、尚且つ、所定の複数の条件を満たすか否かを判定し、満たすと判定した場合、カレントの字幕ストリームを維持し、満たさないと判定した場合、字幕ストリームを新たに選択し、
前記所定の複数の条件は、
前記組合せ情報において、前記第１ストリーム番号レジスタによって示されるカレントのセカンダリビデオストリームとカレントの字幕ストリームとを組み合わせることが許可されている、という条件を含む
ことを特徴とする再生装置。
【請求項２】
カレントの字幕ストリーム番号をストリーム番号Ｘに変更することが要求された場合、      
変更に係るストリーム番号Ｘが前記第１個数と、前記第２個数とを足しあわせた数値範囲に属し、尚且つ、所定の複数の条件を満たすか否かを判定し、満たすと判定した場合、ストリーム番号Ｘをカレントの字幕ストリームの番号として前記第２ストリーム番号レジスタに書き込み、満たさないと判定した場合、前記第２ストリーム番号レジスタにおけるカレントのストリーム番号を維持する
ことを特徴とする請求項１記載の再生装置。
【請求項３】
字幕ストリームには、グラフィクスストリームと、テキスト字幕ストリームとがあり、
前記字幕ストリームがグラフィクスストリームである場合の所定の複数の条件とは、
カレントのグラフィクスストリームをデコードする能力が再生装置に存在するという第１条件、
カレントのグラフィクスストリームから特定された言語を再生する能力が再生装置に存在するという第２条件、
カレントのグラフィクスストリームと、カレントのセカンダリビデオストリームとを組み合わせることが組合せ情報に許可されているという第３条件であり、  
前記字幕ストリームがテキスト字幕ストリームである場合の所定の複数の条件とは、
カレントのテキスト字幕ストリームのキャラクターコードをビットマップに展開する能力が再生装置に存在するという第１条件、
カレントのテキスト字幕ストリームから特定された言語の再生をサポートする能力が再生装置に存在するという第２条件、
カレントのテキスト字幕ストリームと、カレントのセカンダリビデオストリームとを組み合わせることが組合せ情報に許可されているという第３条件である
ことを特徴とする請求項１記載の再生装置。
【請求項４】
新たな字幕ストリームの選択時は、前記所定の複数の条件は、カレントのテキスト字幕ストリームの言語属性と、再生装置の言語属性とが合致しているという第４条件をさらに含み、
カレントの再生区間情報におけるストリームエントリーテーブルにおいて、再生が許可されている字幕ストリームの中に、第１条件、第２条件、第３条件、第４条件の全てを満たす字幕ストリームが1つ以上存在するかどうかを判定して、もし存在する場合、当該字幕ストリームのうち、ストリームエントリーテーブルにおけるエントリー順位が最も高いものを選択して選択した字幕ストリームのストリーム番号をストリーム番号レジスタに書き込み、
第１条件、第２条件、第３条件、第４条件の全てを満たす字幕ストリームが存在しない場合、第１条件、第２条件、第３条件の全てを満たす字幕ストリームが1つ以上存在するかどうかを判定して、もし存在する場合、当該字幕ストリームのうち、ストリームエントリーテーブルにおけるエントリー順位が最も高いものを選択して選択した字幕ストリームのストリーム番号をストリーム番号レジスタに書き込み、第１条件、第２条件、第３条件の全てを満たす字幕ストリームが存在しない場合、無効な値をストリーム番号レジスタに書き込むことでなされる、請求項３記載の再生装置。
【請求項５】
再生装置のコンフィグレーションを示すプレーヤ設定レジスタを備え、
プレーヤ状態レジスタにおいて、再生装置において言語特性がサポートされていないアンサポート言語に対応する字幕の再生を意図しているとの状態設定がなされているかどうかを判定し、
アンサポート言語に対応する字幕の再生を意図しているとの条件が満たされている場合、第２条件を除く、第１条件、第３条件、第４条件の全てを満たす字幕ストリームが1つ以上存在するかどうかを判定して、もし存在する場合、当該字幕ストリームのうち、ストリームエントリーテーブルにおけるエントリー順位が最も高いものを選択し、
第１条件、第３条件、第４条件の全てを満たす字幕ストリームが存在しない場合、第２条件及び第４条件を除く、第１条件、第３条件の全てを満たす字幕ストリームが1つ以上存在するかどうかを判定して、もし存在する場合、当該字幕ストリームのうち、ストリームエントリーテーブルにおけるエントリー順位が最も高いものを選択し、第１条件、第３条件の全てを満たす字幕ストリームが存在しない場合、無効な値をストリーム番号レジスタに書き込む
ことを特徴とする請求項３記載の再生装置。
【手続補正２】
【補正対象書類名】明細書
【補正対象項目名】発明の名称
【補正方法】変更
【補正の内容】
【発明の名称】再生装置
【手続補正３】
【補正対象書類名】明細書
【補正対象項目名】０００７
【補正方法】変更
【補正の内容】
【０００７】
しかしながら、複数のセカンダリビデオを選択的に再生する場合、同期再生されるべき字幕の内容が、再生対象になっているセカンダリビデオと整合しなくなるケースが生じる。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
本発明の目的は、複数のセカンダリビデオを選択的に再生する場合、同期再生されるべき字幕の内容を、再生対象になっているセカンダリビデオと整合させることができる再生装置を提供することである。
【手続補正６】
【補正対象書類名】明細書
【補正対象項目名】００１０
【補正方法】変更
【補正の内容】
【００１０】
上記目的を達成するため、本発明にかかる再生装置は、プレイリスト情報を構成する主たる再生区間情報と従たる再生区間情報に従って、プライマリビデオストリーム及びセカンダリビデオストリームを用いたピクチャインピクチャ再生を行うと共に、セカンダリビデオストリームに対して、字幕ストリームの再生映像を合成する再生装置であって、
前記主たる再生区間情報は、プライマリビデオストリームの再生区間の開始点及び終了点を規定する時間情報と、ストリームエントリーテーブルとを含み、
前記従たる再生区間情報は、セカンダリビデオストリームの再生区間の開始点及び終了点を規定する時間情報を含み、
前記ストリームエントリーテーブルには、再生が許可されているセカンダリビデオストリームのエントリーと、再生が許可されている字幕ストリームのエントリーと、第１個数と、第２個数と、組合せ情報とが記述されており、
第１個数は、再生が許可されている字幕ストリームエントリーの個数を示し、
第１個数と第２個数の合計は、ピクチャインピクチャの実行時において、再生が許可される字幕ストリームエントリーの個数を示し、
前記組合せ情報は、
セカンダリビデオストリームとの再生の組合せが許可されている字幕ストリームを示し、
前記再生装置は、
カレントのセカンダリビデオストリームの番号を格納する第１ストリーム番号レジスタと、
カレントの字幕ストリームの番号を格納する第２ストリーム番号レジスタと、を備え、
カレントのセカンダリビデオストリーム番号が変化した際、前記第２ストリーム番号レジスタに格納されているカレントの字幕ストリームの番号が前記第１個数と、前記第２個数とを足しあわせた数値範囲に属し、尚且つ、所定の複数の条件を満たすか否かを判定し、満たすと判定した場合、カレントの字幕ストリームを維持し、満たさないと判定した場合、字幕ストリームを新たに選択し、
前記所定の複数の条件は、
前記組合せ情報において、前記第１ストリーム番号レジスタによって示されるカレントのセカンダリビデオストリームとカレントの字幕ストリームとを組み合わせることが許可されている、という条件を含む
ことを特徴としている。
【手続補正７】
【補正対象書類名】明細書
【補正対象項目名】００１１
【補正方法】変更
【補正の内容】
【００１１】
本発明によれば、ピクチャインピクチャが有効である場合、第１個数と、第２個数とを足しあわせた数値範囲のの中から、カレントの字幕ストリーム番号が選ばれるので、あるときは、プライマリビデオストリームに適した字幕を動画像と共に再生させ、またあるときは、セカンダリビデオストリームに適した字幕を動画像と共に再生させることができ、字幕選択の幅を広げることができる。
【手続補正８】
【補正対象書類名】明細書
【補正対象項目名】００１２
【補正方法】削除
【補正の内容】